(57)【要約】      （修正有）【課題】底面と、底面から連続する手前側の側面との間に、左右両側の直線と、中央部において上に向かって凸の円弧形状とから形成される折目線を設けて、開封を容易にする場合においても、カートンの底面全体の平面性が損なわれたり、歪みが生じることのない、易開封性カートンを提供する。【解決手段】板紙を材料としてなる６面体のカートンであって、天面から連続する手前側の側面には、天面の左右２本の切れ目からそれぞれ連続する切れ目３が設けられており、該切れ目は、天面から連続する手前側の側面の、下部中央に設けられたつまみに連続しており底面と、底面から連続する手前側の側面との間には、左右両側の直線と、中央部において上に向かって凸の円弧形状とから形成される、折目線１５が設けられており、底面において、該円弧形状の凹側に対向する位置に、全体的に折目線と平行な罫線４が設けてある。【選択図】図１
2018039516.tif 000002
【特許請求の範囲】
【請求項１】
板紙を材料としてなる６面体のカートンであって、
天面には開口部が、少なくとも左右２本の切れ目で囲まれて設けてあり、
該カートンの手前側の側面は、天面から連続する手前側の側面と、底面から連続する手前側の側面とが、前者を外側にして重ねて設けられており、
天面から連続する手前側の側面には、天面の左右２本の切れ目からそれぞれ連続する切れ目が設けられており、
該切れ目は、天面から連続する手前側の側面の、下部中央に設けられたつまみに連続しており、
底面と、底面から連続する手前側の側面との間には、左右両側の直線と、中央部において上に向かって凸の円弧形状とから形成される、折目線が設けられており、
底面において、該円弧形状の凹側に対向する位置に、全体的に折目線と平行な罫線が設けてあることを特徴とする、
易開封性カートン。
【請求項２】
前記罫線は、該折目線の直線部分に平行な直線であることを特徴とする、請求項１に記載の易開封性カートン。
【請求項３】
前記罫線は、波形の罫線であることを特徴とする、請求項１に記載の易開封性カートン。
【請求項４】
前記罫線は、ジグザグの折れ線の罫線であることを特徴とする、請求項１に記載の易開封性カートン。
【発明の詳細な説明】
【技術分野】
【０００１】
本発明は、易開封性カートンに関するものである。とくに、板紙を用いたカートンで、手指を用いて容易に開封することが可能な、易開封性カートンに関するものである。
【背景技術】
【０００２】
従来より、板紙を用いたカートンは、様々な用途において、紙容器として用いられてきた。たとえば食品や菓子を収納するカートンとして、使われる例などは、生活に密着した用途例である。
【０００３】
このような用途においては、開封は手指を用いて行なうことが一般的であり、開封部には手指を用いて容易に開封するためのつまみ部、また必要な大きさの開口部を設けるための切れ目などが設けられている。
【０００４】
この場合、つまみ部は容易に開封のきっかけが得られる必要があって、また確実に切れ目に連続するよう設けられている必要がある。特許文献１あるいは特許文献２には、つまみ部が近接するカートンの折り目線の一部に円弧状の折り目部分を設けて、つまみ部との間隙を設けることが提案されている。
【０００５】
しかしながら、カートンの折り目線の一部に円弧状の折り目部分があることによって、カートンの底面全体の平面性が損なわれ、歪みが生じるという、問題を抱えていた。
【先行技術文献】
【特許文献】
【０００６】
【特許文献１】実公昭６１−１７０１９号公報
【特許文献２】特開２００８−２９６９１７号公報
【発明の概要】
【発明が解決しようとする課題】
【０００７】
本発明はかかる状況に鑑みてなされたものであり、底面と、底面から連続する手前側の側面との間に、左右両側の直線と、中央部において上に向かって凸の円弧形状とから形成される折目線を設けて、底面から連続する手前側の側面と、つまみ部との間に間隙を生じせしめ、開封を容易にする場合においても、カートンの底面全体の平面性が損なわれたり、歪みが生じることのない、易開封性カートンを提供することを課題とする。
【課題を解決するための手段】
【０００８】
上記の課題を解決するための手段として、請求項１に記載の発明は、
板紙を材料としてなる６面体のカートンであって、
天面には開口部が、少なくとも左右２本の切れ目で囲まれて設けてあり、
該カートンの手前側の側面は、天面から連続する手前側の側面と、底面から連続する手前側の側面とが、前者を外側にして重ねて設けられており、
天面から連続する手前側の側面には、天面の左右２本の切れ目からそれぞれ連続する切れ目が設けられており、
該切れ目は、天面から連続する手前側の側面の、下部中央に設けられたつまみに連続しており、
底面と、底面から連続する手前側の側面との間には、左右両側の直線と、中央部において上に向かって凸の円弧形状とから形成される、折目線が設けられており、
底面において、該円弧形状の凹側に対向する位置に、全体的に折目線と平行な罫線が設け
てあることを特徴とする、
易開封性カートンである。
【０００９】
また、請求項２に記載の発明は、
前記罫線は、該折目線の直線部分に平行な直線であることを特徴とする、請求項１に記載の易開封性カートンである。
【００１０】
また請求項３に記載の発明は、
前記罫線は、波形の罫線であることを特徴とする、請求項１に記載の易開封性カートンである。
【００１１】
また請求項４に記載の発明は、
前記罫線は、ジグザグの折れ線の罫線であることを特徴とする、請求項１に記載の易開封性カートンである。
【発明の効果】
【００１２】
本発明によれば、カートンの折目線の一部に円弧形状の折目線があることによって、つまみ部との間隙を設ける場合においても、カートンの底面全体の平面性が損なわれたり、歪みが生じることのない、易開封性カートンを提供することが可能である。
【００１３】
すなわち、円弧形状の折目線によって、つまみ部との間隙を設けることができ、手指によりつまみ部を引っ張って開封することの容易性を損なうことなく、底部に設けた、全体的に折目線と平行な罫線によって、底面全体に発生する歪みを抑制し、歪みを部分的に封じ込めることが可能になる。
【００１４】
すなわち底面全体の平面性が損なわれたり、歪みが生じることのない易開封性カートンは、外観面においても、６面体を損なうことがなく、また積み重ねなどにおいても、傾斜するなどの不具合を起こすおそれがない。
【００１５】
また請求項２に記載の発明によれば、カートンの底面に設けた罫線が、折目線の直線部分に平行な直線であることによって、底面全体に発生する歪みの抑制、封じ込めをより確実にすることができる。
【００１６】
また請求項３に記載の発明によれば、カートンの底面に設けた罫線が、波形の罫線であることによって、底面全体に発生する歪みの抑制、封じ込めをより確実にすることができる。
【００１７】
また請求項４に記載の発明によれば、カートンの底面に設けた罫線が、ジグザグの折れ線の罫線であることによって、底面全体に発生する歪みの抑制、封じ込めをより確実にすることができる。
【図面の簡単な説明】
【００１８】
【図１】図１は本発明に係る易開封性カートンの、一実施態様を説明するための、平面展開図である。
【図２】図２は本発明に係る易開封性カートンの、一実施態様を説明するための、斜視模式図である。
【図３】図３は本発明に係る易開封性カートンの、一実施態様を説明するための、部分断面模式図である。
【図４】図４は本発明に係る易開封性カートンの、底面に設けた罫線の他の実施態様を説明するための、部分平面模式図である。
【図５】図５は本発明に係る易開封性カートンの、底面に設けた罫線の他の実施態様を説明するための、部分平面模式図である。
【図６】図６は本発明に係る易開封性カートンの 、底面に設けた罫線の更に他の実施態様を説明するための、部分平面模式図である。
【発明を実施するための形態】
【００１９】
以下、本発明を図１〜図６を参照しながら、更に詳しい説明を加える。ただし本発明は、ここに示す例にのみ限定されるものではない。本発明は、請求項によって限定されるものである。
【００２０】
図１は本発明に係る易開封性カートンの、一実施態様を説明するための、平面展開図である。ここに示す図においては、カートンの内側を見る形となっている。
【００２１】
本発明は、板紙を材料としてなる６面体のカートンであって天面（１）、底面（８）のほか、手前側、後ろ側、左側、右側の４面の側面を有してなる。手前側は、天面から連続する手前側の側面（２）、および底面から連続する手前側の側面（９）とが、重なり合って構成される。
【００２２】
６面体の後ろ側は、後ろ側の側面（６）である。また左側側面は、天面から連続する左側側面（２１）、および底面から連続する左側側面（２３）とが重なり合って構成される。同様に、右側側面は、天面から連続する右側側面（２２）、および底面から連続する右側側面（２４）とが重なり合って構成される。
【００２３】
カートンの開封においては、天面から連続する手前側の側面に設けられた、つまみ（５）を手指でつまんで引っ張り、つまみ（５）に連続する切れ目（３）を切り裂くことによってカートンの開封が行われる。
【００２４】
切れ目（３）は天面に連続しており、少なくとも左右２本の切れ目（３）で囲まれて、開口部が設けてある。２箇所の、切れ目の終点（１４）において、切れ目の終点（１４）同士をつなぐことができる。
【００２５】
図１に示す例では罫線（４）でつなぐ例であって、この場合には、開口部を罫線で折り返して天面（１）と開口部を繋がったままにしておくことができる。開口部を繋がったままにしておく場合には、再封が可能であり、内容物によっては使い勝手が良い利点を有する。
【００２６】
あるいは、切れ目の終点（１４）同士を、さらに切れ目線でつなぐこともでき、この場合には、開口部全体を切り取って、取り去ることも可能である。開口部全体を切り取る場合には、再封などは困難であるが、内容物を取り出しやすい利点を有する。
【００２７】
つまみ（５）は、天面から連続する手前側の側面（２）の、カートンに組み立てたときの中央下部に設けられており、手指を用いてカートンを開封する際のきっかけとなる部分であって、切れ目（３）に連続している。
【００２８】
つまみ（５）は、たとえば天面から連続する手前側の側面（２）の端部からの、２箇所の切り込み（１３）によって形成することができる。
【００２９】
底面（８）と、底面から連続する手前側の側面（９）との間には、左右両側の直線（１１）と、中央部において上に向かって凸の円弧形状（１０）とから形成される、折目線（１５）が設けられている。
【００３０】
また、底面（８）において、該円弧形状（１０）の凹側に対向する位置に、全体的に折目線と平行な罫線を設ける。図１に示す例においては、直線の罫線（１２）が設けてある。この直線の罫線（１２）は、円弧形状（１０）の長さに、ほぼ等しい長さで設けてある。
【００３１】
円弧形状（１０）となった部分があることにより、折目線（１５）を、図１において谷折りとすることによって、底面から連続する手前側の側面（９）には弓形の凹みができ、つまみ（５）とのあいだに間隙が形成され、この間隙の部分をきっかけとして、手指によってつまみ（５）を引っ張ることが容易になる。
【００３２】
このとき、底面から連続する手前側の側面（９）が弓形に凹むことによって、底面（８）もその影響を受け、底面（８）全体が歪む結果をもたらすが、本発明による易開封性カートンの場合には、円弧形状（１０）の凹側に対向する位置に、全体的に折目線と平行な罫線が設けてある。すなわちここに示す例においては、直線の罫線（１２）が設けてあることにより、歪みの、底面（８）全体への伝播を食い止めることができる。
【００３３】
全体的に折目線と平行な罫線は、直線であるだけでなく、折目線の直線部分に平行な直線とすることができる。この場合にはより効果的に、歪みの伝播を食い止めることができる。またその長さは、円弧形状（１０）の長さに、ほぼ等しい長さで設けてもよく、円弧形状（１０）の長さより長くてもよい。
【００３４】
図２は本発明に係る易開封性カートンの、一実施態様を説明するための、斜視模式図である。
【００３５】
本発明による易開封性カートン（１００）は６面体であって、天面（１）には開口部（７）を有する。開口部（７）は、少なくとも左右２本の切れ目（３）で囲まれて設けてあり、切れ目（３）は、つまみ（５）に連続しているために、つまみ（５）を手指でつまんで引っ張ることによって切れ目（３）を切り裂いてカートン（１００）を開封することが可能である。
【００３６】
２箇所の、切れ目の終点（１４）を罫線（４）でつないであることによって、開口部（７）を罫線で折り返して天面（１）と開口部を繋がったままにしておくこともでき、あるいは、切れ目の終点（１４）同士を、切れ目線でつないである場合には、開口（７）全体を切り取って取り去ることも可能である。切れ目（３）は、カートン（１００）の板紙にミシン目を形成して設けるのでもよく、あるいは連続した貫通孔を形成して設けるのでもよい。
【００３７】
図３は本発明に係る易開封性カートンの、一実施態様を説明するための、部分断面模式図である。ここで示す断面図は、図２に示すＡ点およびＢ点を結んだ直線を通る、垂直断面である。
【００３８】
底面から連続する手前側の側面（９）には、左右両側の直線（１１）と、中央部において上に向かって凸の円弧形状（１０）の折目線（１５）が設けてあるために、中央部においては、折目線（１５）が湾曲して、底面から連続する手前側の側面（９）と、天面から連続する手前側の側面（２）に設けられた、つまみ（５）とのあいだに、間隙（６）を生じる。
【００３９】
易開封性カートン（１００）の開封に当たっては、この間隙（６）をきっかけとしてつまみ（５）を手指でつまんで、矢印（２０）の方向に引っ張って、切れ目を切り裂いて開
封することが可能である。
【００４０】
すなわち、天面から連続する手前側の側面（２）に設けられた、つまみ（５）に連続して、切れ目（３）が天面（１）に至るまで設けてあるために、天面（１）には開口部（７）が出現し、内容物（１６）の取出しが可能になる。
【００４１】
空隙（６）ができることによって、底面（８）には歪み（１９）が生じ平面性が失われるおそれがあるが、全体的に折目線と平行な罫線（１７）が設けられているために、底面（８）全体へのひずみ（１９）の伝播を止め、封じ込めることが可能である。
【００４２】
したがって、全体的に折目線と平行な罫線（１７）によって、歪み（１９）は底面（８）のごく限られた場所のみに封じ込められるのであって、易開封性カートン（１００）に与える影響も限定的である。
【００４３】
図４は本発明に係る易開封性カートンの、底面に設けた罫線の他の実施態様を説明するための、部分平面模式図である。図５は本発明に係る易開封性カートンの、底面に設けた罫線の他の実施態様を説明するための、部分平面模式図である。図６は本発明に係る易開封性カートンの 、底面に設けた罫線の更に他の実施態様を説明するための、部分平面模式図である。
【００４４】
全体的に折目線と平行な罫線（１７）は、図１に示すように直線の罫線（１２）であってもよく、あるいは図４に示す長い直線の罫線（２５）であってもよい。また図５に示す波形の罫線（２６）の形状であってもよく、図６に示すジグザグの折れ線の罫線（２７）の形状でも良い。長さは、おおよそ折目線（１５）の中央部に設けたれた、円弧形状（１０）の長さでもよく、それより長くてもよい。
【００４５】
このように、底面と、底面から連続する手前側の側面との間に、左右両側の直線と、中央部において上に向かって凸の円弧形状とから形成される折目線を設けて、底面から連続する手前側の側面と、つまみ部との間に間隙を生じせしめ、開封を容易にする場合においても、カートンの底面全体の平面性が損なわれたり、歪みが生じることのない、易開封性カートンを提供することが可能である。
【符号の説明】
【００４６】
１・・・天面
２・・・天面から連続する手前側の側面
３・・・切れ目
４・・・罫線
５・・・つまみ
６・・・間隙
７・・・開口部
８・・・底面
９・・・底面から連続する手前側の側面
１０・・・円弧形状
１１・・・左右両側の直線
１２・・・直線の罫線
１３・・・切り込み
１４・・・切れ目の終点
１５・・・折目線
１６・・・内容物
１７・・・全体的に折目線と平行な罫線
１９・・・歪み
２０・・・矢印
２１・・・天面から連続する左側側面
２２・・・天面から連続する右側側面
２３・・・底面から連続する左側側面
２４・・・底面から連続する右側側面
２５・・・長い直線の罫線
２６・・・波形の罫線
２７・・・ジグザグの折れ線の罫線
１００・・・易開封性カートン
【図１】
2018039516.tif 000003
【図２】
2018039516.tif 000004
【図３】
2018039516.tif 000005
【図４】
2018039516.tif 000006
【図５】
2018039516.tif 000007
【図６】
2018039516.tif 000008